(57)【要約】【課題】加圧剤による加圧力が低下しても、内容物を吐出でき、かつ、廃棄するときに加圧剤を排出することのできる吐出装置および吐出製品を提供する【解決手段】内容物２４とその内容物を加圧する加圧剤２５を充填した容器本体２１に、ステム３、ピストン４およびこれらを収容するハウジング２を有する弁機構が取り付けられ、ステム３を操作する第１操作により加圧剤の圧力で内容物を吐出し、ピストン４を操作する第２操作により前記ピストンの加圧力で内容物を吐出する吐出装置１。【選択図】図１
2014091527.tif 000002
【特許請求の範囲】
【請求項１】
内容物とその内容物を加圧する加圧剤を充填した容器本体に、
ステム、ピストン、およびこれらを収容するハウジングを有する弁機構が取り付けられ、ステムを操作する第１操作により加圧剤の圧力で内容物を吐出し、
ピストンを操作する第２操作により前記ピストンの加圧力で内容物を吐出する
吐出装置。
【請求項２】
前記ステムがピストンロッドを兼ねている請求項１または２に記載の吐出装置。
【請求項３】
前記弁機構が、第２操作の規制と解除を切り替える切替機構を備えている
請求項１記載の吐出装置。
【請求項４】
前記第１操作がステムの下方への第１作動量による押動であり、第２操作が前記第１作動量を超える押動である請求項３記載の吐出機構。
【請求項５】
前記第１操作がステムの傾動であり、第２操作がステムの押動である請求項３記載の吐出機構。
【請求項６】
請求項１〜５のいずれかに記載の吐出装置に内容物と加圧剤を充填している、吐出製品。
【発明の詳細な説明】
【技術分野】
【０００１】
本発明は内容物を吐出させる吐出装置および吐出製品に関する。
【背景技術】
【０００２】
従来から窒素ガスなどの圧縮ガスを加圧剤として用いたエアゾール製品がある。圧縮ガスは容器本体内の気相部に充填されて内容物を加圧しており、容器本体に固着されているエアゾールバルブを開放することにより内容物が吐出（噴射）する。
エアゾール製品は使用する向き（角度）を変えながら内容物を吐出するができるが、角度によっては内容物が吐出されずに加圧剤が抜けてしまい使用できなくなる問題がある。そこで、特許文献１および２のように、エアゾール製品の向きを変えても加圧剤が抜けにくいエアゾールバルブがある。
特許文献１および２のエアゾールバルブは、ハウジングに柔軟なチューブを接続し、チューブの先端開口付近に錘を備えており、エアゾール製品の傾きに応じて錘が移動するため加圧剤が抜けにくい。
また、特許文献３のように容器本体の内部に可撓性を有する内袋を備えている二重エアゾール製品がある。二重エアゾール製品は内袋の内部に内容物を充填し、内袋と容器本体の間の空間に加圧剤を充填し、両者を隔離した状態で密封するため、どのような向きで使用しても加圧剤が抜けることなく内容物を吐出することができる。
一方、従来からピストンによる圧力で内容物を吐出するポンプ式の吐出装置がある（特許文献４）。
【先行技術文献】
【特許文献】
【０００３】
【特許文献１】特許第３５７５８２９号公報
【特許文献２】実公昭５６−３９５７８
【特許文献３】特開平９−１１８３８０
【特許文献４】WO２００３／１０３８４９
【発明の概要】
【発明が解決しようとする課題】
【０００４】
特許文献１および２のエアゾールバルブでは追従できる向きに限界があり、エアゾール製品を傾けすぎると加圧剤が抜けてしまい使用できなくなる問題がある。
特許文献３の二重エアゾール製品では、内容物を全量吐出しても加圧剤を排出することができず、安全に廃棄できない問題がある。
【０００５】
そこで本発明は、加圧剤が抜けて容器内の圧力が低下しても、さらには加圧剤が全量抜けて圧力が大気圧と同等になっても、内容物を吐出でき、かつ、安全に廃棄することのできる吐出装置および吐出製品を提供することを目的としている。
【課題を解決するための手段】
【０００６】
本発明の吐出装置は（請求項１）、内容物とその内容物を加圧する加圧剤を充填した容器本体に、ステム、ピストン、およびこれらを収容するハウジングを有する弁機構が取り付けられ、ステムを操作する第１操作により加圧剤の圧力で内容物を吐出し、ピストンを操作する第２操作により前記ピストンの加圧力で内容物を吐出することを特徴としている。
【０００７】
前記ステムがピストンロッドを兼ねていることが好ましい（請求項２）。
【０００８】
このような吐出装置は、前記弁機構が、第２操作の規制と解除を切り替える切替機構を備えていることが好ましい（請求項３）。
【０００９】
さらに前記第１操作がステムの下方への第１作動量による押動であり、第２操作が前記第１作動量を超える押動であるのが好ましい（請求項４）。
【００１０】
また前記第１操作がステムの傾動であり、第２操作がステムの押動であるのが好ましい（請求項５）。
【００１１】
本発明の吐出製品は（請求項６）、前述の吐出装置に内容物と加圧剤を充填していることを特徴としている。
【発明の効果】
【００１２】
本発明の吐出装置および吐出製品は（請求項１、６）、通常はステムを操作する第１操作により加圧剤の圧力で内容物を吐出させることができるので使い勝手がよい。
誤った使用方法により加圧剤が排出され圧力が大気圧と同等になり吐出できなくなっても、ピストンを操作する第２操作によりピストンの加圧力で内容物を最後まで吐出させることができる。そのため経済的である。
また二重エアゾール製品のように内容物を使い切った後に、加圧剤が残ることがないので、安全に廃棄できる。
【００１３】
前記ステムがピストンロッドを兼ねている場合は（請求項２）、容器本体に共通のハウジングを介して取り付けられるので、省スペースであり、容器本体をコンパクトにすることができる。
また同一のステムの操作で加圧剤による吐出と、ポンプ機構による吐出を行うことができるので、使い勝手がよい。
【００１４】
このような吐出装置において、前記弁機構が第２操作の規制と解除を切り替える切替機構を備えている場合は（請求項３）、規制状態にすることにより加圧剤が充分に充填されている状態で第２操作を行う誤操作を防止することができる。
【００１５】
さらに前記第１操作がステムの下方への第１作動量による押動であり、第２操作が前記第１作動量を超える押動である場合は（請求項４）、第１操作と第２操作は操作方向が同じであるため使いやすい。さらに第２操作は操作量が大きくなるため、消費者が認識しやすく誤操作を防止できる。
【００１６】
また前記第１操作がステムの傾動であり、第２操作がステムの押動である場合は（請求項５）、第１操作と第２操作の操作方向が異なるので、消費者が認識しやすく誤操作を防止できる。
【図面の簡単な説明】
【００１７】
【図１】図１は本発明の吐出製品の一実施形態を示す断面図である。
【図２】図２ａは図１の部分拡大図、図２ｂはピストン示す拡大断面図である。
【図３】図３ａはキャップを示す断面図、図３ｂは図１の規制筒部を示す概略斜視図である。
【図４】図４は図１の切替機構が作動する様子を示す概略工程図である。
【図５】図５は図１の吐出装置が作動する様子を示す概略工程図である。
【図６】図６は吐出製品の他の実施形態を示す断面図である。
【図７】図７は図６の規制筒部を示す概略斜視図である。
【図８】図８は図６の切替機構が作動する様子を示す概略工程図である。
【発明を実施するための形態】
【００１８】
図１を用いて本発明の吐出装置および吐出製品の実施形態を説明する。図１に示す吐出製品２０は、吐出装置１とその内部に充填されたエアゾール組成物Ａとからなる。前記吐出装置１は、容器本体２１と、その容器本体２１の口部に取り付けたバルブ（弁機構）２２とからなる。バルブのステム３には押しボタン８が取り付けられる。前記エアゾール組成物は、内容物２４と加圧剤２５とからなる。
なお図１に示す吐出製品２０は、ステム３を押動していない状態（以下、初期状態という）を示している。
【００１９】
前記吐出装置１は、容器本体２１の内部に充填される内容物２４を、加圧剤２５の圧力により吐出する、いわゆるエアゾール吐出と、ピストンを操作し内容物を加圧して吐出する、いわゆるポンプ吐出を切り替えて使用することができる。
【００２０】
前記容器本体２１は、底部と、筒状の胴部２１ｃと、口部２１ａを有し、アルミニウムやブリキなどの金属、ポリエチレンテレフタレート、ポリプロピレンなどの合成樹脂を用いて有底筒状に成形された従来公知のものである。なお、胴部２１ｃは一部を膨らませたり、くびれさせてもよく、胴部全体を球状やラグビーボール状にすることもできる。
前記口部２１ａの外周にはネジ部２１ｂが形成され、そのネジ部２１ｂにキャップ２３を着脱自在に螺合することができる。キャップ２３は、前記バルブ２２のハウジングのフランジ（鍔部２ｅ）を、パッキン１３を介して容器本体２１の口部２１ａの先端とキャップ２３の内面との間に挟持して気密に取り付けられる。
【００２１】
前記バルブ（弁機構）２２は、加圧剤の圧力により内容物２４を吐出するエアゾールバルブとしての機能と、ピストンの上下動による加圧力により内容物２４を吐出するポンプとしての機能を兼ねたものである。
ここから図２を併せて説明する。前記バルブ２２は、容器本体の口部２１ａとキャップ２３の間で挟持されるハウジング２と、ハウジング２内に上下動自在に収容されるステム３と、ステム３を内挿しハウジングの内周を摺動するピストン４と、ハウジング底部の導入孔２ａを塞ぐ弁５と、ステム３を上方に付勢するスプリング３ｂとを備えている。
【００２２】
前記ハウジング２はエアゾール吐出とポンプ吐出のそれぞれの機能を共通のハウジングに設けたものである。前記ハウジング２は、筒部２ｄと、筒部２ｄの上端近辺から外向きに延びる鍔部２ｅと、筒部２ｄの底部２ｃに設けられチューブ２ｈを装着する筒状の突出部２ｇを備えており、筒部２ｄと突出部２ｇの間に内容物２４をチューブ２ｈからハウジング内に導入するための導入孔２ａが形成されている。
なお、チューブ２ｈは、上部が前記突出部２ｇに嵌合し、下端が容器本体の底部付近まで伸びており、容器本体内の内容物を吸い上げてハウジングに導入する。
【００２３】
前記筒部２ｄの周壁には容器本体２１とハウジング２とを連通する連通孔２ｂが形成されている。前記連通孔２ｂは、ハウジング２の筒部２ｄの上方で、上昇端にあるピストン４により塞がれる位置にある。すなわちピストン４を下降させるときに、ハウジング２内のピストン４の上方の空間が、貯留室Ｂに比べて負圧になり、ピストン４の下降の妨げになるのを防止するためである。
前記鍔部２ｅの上面には上方に筒状の環状片２ｆが突出している。また前記鍔部２ｅの下面には前記パッキン１３を保持させており、パッキン１３を容器本体２１の口部２１ａの上面に載置し、キャップを口部のネジ部２１ｂに螺着することにより、パッキン１３が前記鍔部２ｅと口部２１ａの上面との間で圧縮されてシールすると共に、前記ハウジング２が容器本体２１に固定される。
【００２４】
ここから図２ａを用いて説明する。前記ステム３は、ステム孔３ａを開放して内容物を吐出するだけでなく、ポンプ機能のピストン４を作動させるピストンロッドを兼ねたものである。
そのステム３は、ハウジング内と外部を連通するステム孔３ａが形成されている。そのステム３はスプリング３ｂなどの従来公知の付勢部材により、ハウジング２に対して上方に付勢されている。そのスプリング３ｂは前記ハウジング２の底部２ｃを足場にし、ステム３の下端を上方に付勢している。
【００２５】
前記ステム３は、ステム孔３ａが設けられている内部ステム６と、その内部ステム６の上部に装着され、容器本体２１の口部２１ａから上方に突出し、その上端付近に押しボタン８が設けられる外部ステム７とからなる。また外部ステム７を内部ステム６に回動自在に設けてもよい。
【００２６】
前記内部ステム６は、下向きの椀状で、その下面にスプリング３ｂの一端が係止される大径の椀状部６ａと、その椀状部６ａの上面の中央付近から上方に突出する小径の棒状部６ｂとを有している。
前記椀状部６ａの上面で棒状部６ｂの付け根の周囲には、前記ピストン４の下部が係合する環状の溝６ｃが形成されている。
前記棒状部６ｂの根本付近には、円柱部６ｄが設けられており、その周面に前記ステム孔３ａが形成されている。さらに棒状部６ｂは円柱部６ｄの上端から上方に縮径する傾斜部６ｅを有し、傾斜部６ｅの上端から上方に同径の小筒部６ｆが形成されている。前記棒状部６ｂには、軸方向に連通路６ｇが形成されており、その下端で前記ステム孔３ａと連通している。
【００２７】
前記外部ステム７は、前記椀状部６ａとほぼ同径で、前記棒状部６ｂの外周との間に隙間を空けて配置される筒状のスカート部７ａと、そのスカート部７ａから上方に延び、前記棒状部６ｂの小筒部のほぼ上半分を内部に挿入する筒状部７ｂとを有している。筒状部７ｂは、初期状態において、容器本体２１の口部２１ａ（図１参照）からほぼ全体が突出しており、その突出した部位の上方に押しボタン８が取り付けられている。
前記内部ステム６と外部ステム７は押しボタン８（図１参照）を押し下げると一体となって作動し、外部ステムのスカート部７ａの下端（押動部７ｃ）が後述するピストン４の当接部４ｃと当接してピストンを下方に移動させる。
【００２８】
図１に戻って、前記ハウジング２の環状片２ｆの先端には、押さえ部材９が設けられている。その押さえ部材９は、前記ハウジング２の筒部２ｄの内周壁とほぼ密接するように差し込まれる筒状のスペーサ部９ａと、そのスペーサ部９ａの上縁から半径方向の外向き延びる環状シール片９ｂとを有している。スペーサ部９ａは下端がピストンの上端と当接し、初期状態でのピストンの位置決めをする。環状シール片９ｂは、外向きフランジの下面がハウジング２の環状片２ｆの上面と当接している。一方、環状シール片９ｂの内向きフランジの下面は、ステムが上昇端にあるときに、外部ステム７のスカート部７ａの上面を押えており、ステム３の上方への飛び出しを規制している。
また前記環状シール片９ｂの上面と、内向きフランジの内端にかけて、断面形状が略Ｌ字状のシール材１０が設けられている。そのシール材１０は、キャップ２３の螺合により、その下面で押圧され、押さえ部材９とキャップ２３の間および押さえ部材９と外部ステム７の間をシールしている。このためステム３が上下動しても、容器本体２１とステム３との間の気密性を維持するようにされている。
【００２９】
前記ピストン４は、二重の筒状を呈しており、内側のステム孔閉鎖部４ａと、外側の連通孔閉鎖部４ｂと、これらを連結する当接部４ｃとからなる。ピストン４は内部ステム６
と外部ステム７の間で上下動可能に設けられている。ピストン４の材質はポリプロピレン、ポリアセタールなどの合成樹脂により成形されたものが用いられる。
【００３０】
ここから図２ｂを用いて説明する。前記ステム孔閉鎖部４ａは、前記内部ステム６の円柱部６ｄ、傾斜部６ｅ、小筒部６ｆの周面に当接するような形状に形成されており、当接部４ｃから上方に縮径するテーパーシール部４ｅと、その上部には上方に長く延びる筒状の尾部４ｄが設けられており、当接部４ｃから下方に円筒シール部４ｆが設けられている。初期状態では、前記テーパーシール部４ｅの内面が内部ステム６の傾斜部６ｅの外面と当接し、さらに前記円筒シール部４ｆの下端が内部ステム６の環状の溝６ｃに係止されて、ステム孔３ａがシールされる。なお、尾部４ｄは、先端付近が内部ステム６の棒状部６ｂと外部ステム７のスカート部７ａとの間の隙間に挿入されており、ステム３を押動すると前記隙間に深く差し込まれる。
【００３１】
前記連通孔閉鎖部４ｂは、上下方向の中央付近で前記当接部４ｃに連結されており、その中央部を基端として上下端が半径方向の外向きに傾斜するように延びている。前記連通孔閉鎖部４ｂは、上下端近辺を半径方向の内向きに撓ませることにより、前記シリンダ２の筒部２ｄの内面に弾力的に当接している。そしてその弾力的な当接状態を維持したままで、筒部２ｄの内を上下動するように設けられている。図１では連通孔閉鎖部４ｂの上方の部位で前記連通孔２ｂを塞いでいる。
【００３２】
図２ａに示すように、前記ピストン４とステムが初期状態にあるとき、前記外部ステム７の押動部７ｃとピストン４の当接部４ｃとは、第１作動量Ｈ１を空けて配置されている。
【００３３】
図１に戻って、前記弁５は、通常は容器本体内の圧力が高いときは、その圧力により上方に移動し、前記導入孔２ａを開放している。一方、容器本体内の圧力が低くなってポンプ吐出を行うときには、ピストン４の下方への移動により貯留室Ｂ内が加圧され、前記ボールは下方に移動し、前記導入孔２ａを閉じる。また、ポンプ吐出により内容物を吐出しピストンが上方へ移動するときは、前記ボールは上方へ移動して導入孔２ａを解放し、貯留室Ｂ内に内容物を導入する。なお、前記貯留部Ｂは、前記ピストン４、前記ハウジング２の底部２ｂおよび筒部２ｃとで囲まれる空間である。
【００３４】
前記キャップ２３は、その内周面に前記容器本体２１のネジ部２１ｂに螺合するメネジ部２３ａが形成されている。その天井部の内面には段部２３ｂ（図３ａ参照）が形成され、その段部２３ｂにより前記シール材１０が押圧されている。また天井部の中心は開口しており、前記外部ステム７が突出している。その開口の周縁からは筒状の規制筒部１１が上方に延びている。
なお前記キャップ２３はネジ機構により容器本体２１に螺合しているが、キャップ２３を容器本体２１の口部２１ａの上端付近にかしめにより固定してもよい。
【００３５】
図３ａおよび図３ｂに示すように、前記規制筒部１１は、全体として筒状であり、その内側に階段状に高さが変化する切り欠き部が形成されている。その切り欠き部を形成する各階段の上面は、それぞれ上方の第１操作規制部１１ａと、その第１操作規制部１１ａより低い第２操作規制部１１ｂである。また前記第１操作規制部１１ａに連続し、さらに上方に突出する壁の側面部は、ストッパ１１ｃであり、押しボタン８のＬ方向の回動（図３ｂ参照）を規制する部分である。
前記第１操作規制部１１ａと第２操作規制部１１ｂとの高さは、第１作動量Ｈ１である。また第２操作規制部１１ｂの高さは、ステム３の最大ストローク（第２作動量Ｈ２）以上にされている。
【００３６】
図１に戻って、前記押しボタン８には、その下面から上方に向けて延びる筒状の溝８ａが形成されている。またその溝８ａ内の内側の壁面には、半径方向の外向きに突出する突起８ｂ（図３ｂ参照）が設けられている。
そして前記溝８ａにキャップ２３の規制筒部１１が挿入されている。これら規制筒部１１と突起８ｂで切替機構１２を構成している。
さらに前記押しボタン８の溝８ａの内面のうち外側の面が、規制筒部１１の外周面に摺接している。すなわち押しボタン８の回動と下方への移動が、規制筒部１１により案内されている。このため、押しボタン８を大きく下方に移動させ、ポンプ機構を作動させるための第２操作がスムーズで、かつ、安定する。
【００３７】
なお前記規制筒部１１を容器本体２１の上方の空いているスペースに設けてもよい。例えば肩部から上方に突出させてもよい。さらに外部ステム７の容器本体２１から外部に突出している部位に規制筒部１１と当接する突起８ｂを設けてもよい。
さらに前述の実施形態では前記キャップ２３に規制筒部１１を設けているが、押しボタン８に規制筒部１１を設け、キャップ２３に突起８ｂを設けてもよい。
【００３８】
次に図４を用いて切替機構１２が作動する様子を説明する。前記押しボタン８の突起８ｂの下面が、第１操作規制部１１ａに載置されている状態は、前記切替機構１２のロック状態Ｔ１である。このロック状態Ｔ１では、前記突起８ｂの下面が第１操作規制部１１ａに当接しており、押しボタン８を下方に押動することができない。
また前記ロック状態Ｔ１の位置にある押しボタン８をＲ方向（図３ｂ参照）に回動すると、前記突起８ｂが第２操作規制部１１ｂの上方に配置される。このため押しボタン８が第２操作規制部１１ｂに当接するまで、すなわち前記ステム３（図２ａ参照）を第１作動量Ｈ１で下方に移動でき、これによりステム孔３ａが開放されて（ピストンは作動しない）エアゾール吐出ができる。この状態はエアゾール吐出状態Ｔ２である。また前記ロック状態Ｔ１にある押しボタン８は、前記ストッパ１１ｃにぶつかってＬ方向に回動できない。このためロック状態Ｔ１からエアゾール吐出状態Ｔ２への回動が確実になる。すなわち押しボタン８を反対向きに回動したり、一回転以上回転すると、どの状態にあるのか把握するのが困難になるからである。
さらに前記エアゾール吐出状態Ｔ２の位置にある押しボタン８をＲ方向に回動し、前記第２操作規制部１１ｂを超えて配置する。この状態はフリー状態Ｔ３である。このとき押しボタン８は、最大ストローク（第１作動量Ｈ１と第２作動量Ｈ２の和）で下降端まで押動することができ、ピストン４を作動してポンプ吐出することができる。
【００３９】
前記内容物２４（図１参照）は容器内では液体であり、後述する加圧剤により霧状（ミスト状）、ゲル状、クリーム状、フォーム状などの状態に吐出される。用途としては特に限定されず、たとえば、化粧水、クレンジング、冷却剤、コロンなどの化粧品、制汗剤、虫除け、殺虫剤などの医薬部外品、消炎鎮痛剤、かゆみ止め、殺菌消毒剤などの医薬品、洗浄剤などの家庭用品、潤滑剤、防錆剤などの工業用品などが挙げられる。
また前記加圧剤２５（図１参照）は圧縮ガスを用いることが好ましく、たとえば、窒素、炭酸ガス、亜酸化窒素、圧縮空気、アルゴン、およびこれらの混合物などが挙げられる。
【００４０】
次に図５を用いて前記吐出装置１のバルブ２２がエアゾール吐出およびポンプ吐出する様子を説明する。
前記押しボタン８を押し下げていない初期状態（Ｓ１）では、スプリング３ｂの付勢力によりステム３とピストン４が共に上昇端にあり、ピストンのステム孔閉鎖部４ａによりステム孔３ａを閉じている。容器本体内の加圧剤の圧力で内容物が加圧されている場合は、導入孔２ａが解放され、貯留室Ｂ内は内容物が導入されている。
【００４１】
次いで前記押しボタン８をロック状態Ｔ１からＲ方向に回動してエアゾール吐出状態Ｔ２（図４および図３ｂ参照）とし、押しボタン８を押し下げるとステム３は第１作動量Ｈ１だけ下方に移動するが、ピストンは下方に移動せず上昇端にある。このとき、ステム孔３ａはステム孔閉鎖部４ａよりも下方に移動し解放される。これにより容器本体２１（図１参照）内の加圧剤２５の圧力により、貯留室Ｂ内の内容物がステム孔３ａを通じて押しボタン８から外部に連続的に吐出されると共に、下方の導入孔２ａから新たな内容物が貯留室Ｂに導入される。（状態Ｓ２）。このとき前記外部ステム７の押動部７ｃはピストン４の当接部４ｃに当接あるいは接近している。
【００４２】
その後、加圧剤の圧力が小さくなって吐出しにくくなったり、誤使用により加圧剤２５がなくなり吐出できなくなった場合には、前記押しボタン８をさらにＲ方向に回動してフリー状態Ｔ３（図４および図３ｂ参照）にし、第１作動量Ｈ１に第２作動量Ｈ２を加えた作動量で押動する。そうすると外部ステム７の押動部７ｃがピストン４の当接部４ｃに当接してピストン４を下方に押動する。これにより前記ピストン４が下方に移動して、連通孔閉鎖部４ｂが連通孔２ｂから離れ、連通孔２ｂが開放される。このため容器本体２１内の圧力とピストン４の上面側の圧力が等圧になると共に、ピストン４の下降により貯留室Ｂの容積が減少して貯留室Ｂの内圧が高くなる。このため前記弁５が導入孔２ａを閉じ、貯留室Ｂ内の内容物２４がステム孔３ａを通じて、押しボタン８から外部へ吐出される（状態Ｓ３）。
【００４３】
また内容物２４（図１参照）を吐出した後には、スプリング３ｂによりステム３は上方に付勢され、再びステム３およびピストン４は元の位置に戻る（状態Ｓ１）。このとき貯留室Ｂは負圧になるので、導入孔２ａから内容物２４が吸い上げられる。そして前記連通孔２ｂおよびステム孔３ａが閉じられる。
【００４４】
図６に吐出製品の他の実施形態を示す。このものの図１で説明した吐出製品２０と同じ部分には、同じ符号を付してその説明を省略する。
この吐出製品３０に用いられる吐出装置３１は、ステム３を傾動させることを第１操作としている。ピストン４はステム孔閉鎖部４ａを備えてなく、また、内部ステム６の椀状部６ａの上面にはステム孔閉鎖部４ａの円筒シール部の下端を係止する環状の溝６ｃを備えていない。一方、椀状部６ａ上面の周縁に半径方向の外向きで、かつ、上方に向いている環状の突起６ｈが形成されている。その環状の突起６ｈは前記当接部４ｃの下面と当接し、ステム孔３ａと貯留室Ｂの間をシールしている。またこの吐出装置３１には、前述の吐出装置２０とほぼ同様に、外部ステム７のスカート部７ａの下端の押動部７ｃと、ピストン４の当接部４ｃとの間に空間（第１作動量Ｈ１）が設けられている。この空間は第１操作においては、ステム３を傾動させるために用いられる。この空間を利用して前記ステム３を傾動させると、前記環状の突起６ｈと当接部４ｃの下面との間に隙間ができ、ステム孔３ａが開放される。
【００４５】
この吐出装置３１の第２操作は、吐出装置１とほぼ同じように、ステム３の下方の移動により行われる。すなわち押しボタン３２を押し下げると内部ステムの環状の突起６ｈがピストンの当接部４ｃの下面と離れ、ステム孔３ａが解放される。押しボタンの操作量が第１作動量Ｈ１を超えると外部ステムの押動部７ｃがピストン４の当接部を押し下げて、ピストンが貯留室Ｂの容積を減少して貯留室Ｂの内圧が高くなる。これにより貯留室Ｂ内の内容物２４がステム孔３ａを通じて、押しボタン３２から外部へ吐出される。
【００４６】
図７に示すように、前記吐出装置３１の押しボタン３２の外周には外向きに突出する突起３２ａが設けられている。また、キャップの規制筒部３３は筒状であり、外周壁３４を残して上端から下方に切り欠いた第１切欠部３３ａと、外周壁をなくし第１切欠部よりも押しボタン３２が傾動できる程度に下方に切り欠いた第２切欠部３３ｂと、第２切欠部よ
りもさらに下方まで切り欠いた第３切欠部３３ｃを備えている。
【００４７】
図８に示すように、ロック状態Ｔ４においては、押しボタンの突起３２ａが第１切欠部内に配置されており、前記外周壁３４の内面が突起３２ａの外周と当接して押しボタンの傾動を規制するとともに、第１切欠部３３ａの上面が突起３２ａの下面と当接して押しボタンの押動を規制するため、押しボタンを作動することができない。
次いで前記ロック状態Ｔ４の位置にある押しボタン３２をＲ方向（図７参照）に回動すると、前記突起３２ａが第２切欠部３３ｂの位置に配置され、外周壁３４が外側に設けられていないため押しボタン３２を傾動させることができる。しかし突起３２ａの下面が第２切欠部の上面と当接するため、エアゾール吐出はできるが、ポンプ吐出はできない。この状態はエアゾール吐出状態Ｔ５である。
さらに前記エアゾール吐出状態Ｔ５の位置にある押しボタン３２をＲ方向に回動し、突起３２ａを第３切欠部３３ｃの位置に配置すると、突起３２ａは規制されないため押しボタンを押動することができ、ポンプ吐出することができる。この状態はフリー状態Ｔ６である。
【００４８】
前記バルブとポンプのそれぞれの押しボタンによる第１操作および第２操作は、並列に操作されるものでもよい。この場合の切替機構１２は、第１操作時にポンプの押しボタンが操作できないように、その上部をカバーで隠して実現される。またポンプの押しボタンを回動させて、その押しボタンの下面に前記規制筒部１１と同様な作用、すなわち下方に押動できないようにする邪魔部材を配置してもよい。
またバルブとポンプのそれぞれの押しボタンによる第１操作と第２操作とが連動するようにしてもよい。すなわちエアゾールバルブの押しボタンの下方に、ポンプの押しボタンを設け、エアゾールバルブの押しボタンを押動させた後に、ポンプの押しボタンが一体となって、押動させるというものである。この場合もポンプの押しボタンを回動させて、その押しボタンの下面に前記邪魔部材が配置されるようにし、ポンプの押しボタンを下方に押動できないようにして第２操作を規制することができる。
【符号の説明】
【００４９】
１  吐出装置
２  ハウジング
２ａ  導入孔
２ｂ  連通孔
２ｃ  底部
２ｄ  筒部
２ｅ  鍔部
２ｆ  環状片
２ｇ  突出部
２ｈ  チューブ
３  ステム
３ａ  ステム孔
３ｂ  付勢部材
４  ピストン
４ａ  ステム孔閉鎖部
４ｂ  連通孔閉鎖部
４ｃ  当接部
４ｄ  尾部
４ｅ  テーパーシール部
４ｆ  円筒シール部
５  弁
６  内部ステム
６ａ  椀状部
６ｂ  棒状部
６ｃ  環状の溝
６ｄ  円柱部
６ｅ  傾斜部
６ｆ  小筒部
６ｇ  連通路
６ｈ  環状の突起
７  外部ステム
７ａ  スカート部
７ｂ  筒状部
７ｃ  押動部
８  押しボタン
８ａ  溝
８ｂ  突起
９  押さえ部材
９ａ  スペーサ部
９ｂ  環状シール片
１０  シール材
１１  規制筒部
１１ａ  第１操作規制部
１１ｂ  第２操作規制部
１１ｃ  ストッパ
１２  切替機構
１３  パッキン
２０  吐出製品
２１  容器本体
２１ａ  口部
２１ｂ  ネジ部
２１ｃ  胴部
２２  バルブ
２３  キャップ
２３ａ  メネジ部
２３ｂ  段部
２４  内容物
２５  加圧剤
３０  吐出製品
３１  吐出装置
３２  押しボタン
３２ａ  突起
３３  規制筒部
３３ａ  第１切欠部
３３ｂ  第２切欠部
３３ｃ  第３切欠部
３４  外周壁
Ｈ１  第１作動量
Ｈ２  第２作動量
Ａ  エアゾール組成物
Ｂ  貯留室
【図１】
2014091527.tif 000003
【図２】
2014091527.tif 000004
【図３】
2014091527.tif 000005
【図４】
2014091527.tif 000006
【図５】
2014091527.tif 000007
【図６】
2014091527.tif 000008
【図７】
2014091527.tif 000009
【図８】
2014091527.tif 000010